(57)【特許請求の範囲】
【請求項１】
弾性沓の上下部に上沓及び下沓が設けられ、前記上下沓が上部構造及び下部構造にそれぞれ固定される弾性支承において、前記弾性沓に橋軸方向のせん断変形を付与するための与変形装置であって、
前記上沓の橋軸方向両側の２つの隅角部における橋軸方向及び橋軸直角方向に沿う側面にそれぞれ当接して、該隅角部に固定される略Ｌ字形のジャッキ受け部材と、
このジャッキ受け部材に取り付けられるセンターホールジャッキと、
上端部が前記上沓の橋軸方向両側部にそれぞれ係合可能に前記下部構造に固定されたサイドブロックと、
一端が前記サイドブロックに固定され、他端が前記センターホールジャッキに固定される引張り部材と
を備えてなる弾性支承の与変形装置。
【請求項２】
前記引張り部材は前記ジャッキ受け部材を貫通して、その他端が前記センターホールジャッキに固定されていることを特徴とする請求項１記載の弾性支承の与変形装置。
【請求項３】
前記ジャッキ受け部材は、前記隅角部の橋軸方向に沿う側面に当接する第１部分と、この第１部分に対して直角をなし前記隅角部の橋軸直角方向に沿う側面に当接する第２部分とからなり、
前記第１部分に前記引張り部材の挿通孔が設けられ、
前記第２部分に複数のボルト挿通孔が設けられ、
前記隅角部の橋軸直角方向に沿う側面に、前記ボルト挿通孔に挿通されたボルトが螺着される複数のねじ孔が設けられていることを特徴とする請求項１又は２記載の弾性支承の与変形装置。
【請求項４】
前記第１部分に前記隅角部の下面に当接する段付き部が形成されていることを特徴とする請求項３記載の弾性支承の与変形装置。
【発明の詳細な説明】
【０００１】
【発明の属する技術分野】
この発明は、弾性支承の与変形装置に関し、さらに詳細には、橋梁の上部構造と下部構造との間に設置される弾性支承において、桁の据え付け時にその温度変化や製作誤差による脚芯と沓芯との間のずれに対応するために、支承にせん断変形を付与するための与変形装置に関する。
【０００２】
【従来の技術】
従来、この種の与変形装置として、例えば特開平８−２４６４１８号に示されているようなものが知られている。この与変形装置は、センターホールジャッキを支承の上沓に固定し、センターホールジャッキに取り付けたテンションロッドの端部をサイドブロックに固定し、センターホールジャッキの作動によりゴム沓を橋軸方向にせん断変形させるものである。
【０００３】
この従来の与変形装置が対象としているゴム支承は、上沓の橋軸方向両側部にコ字形の切欠きが設けられ、この切欠きにサイドブロックが嵌入して上沓に係合する形式の支承である。したがって、このような上沓を有するゴム支承の場合、センターホールジャッキを単に上沓の下面に固定するだけで、テンションロッドの端部を切欠き内のサイドブロック位置にもたらすことができ、このサイドブロックに固定することができる。
【０００４】
ところで、上沓に切欠きを設けたのは、サイドブロックと上沓とが切欠きを介して係合することにより、地震時におけるゴム支承の橋軸方向のせん断変形を所要量以下に制限して上部構造の移動を阻止し、また上部構造に作用する上揚力を同係合によって受け止めるためである。
【０００５】
しかしながら、近年、地震時における上部構造の橋軸方向移動に関しては、自由にゴム支承にせん断変形させて、地震力を各橋脚に分散させ、また上揚力は支承自体で取る水平力分散支承が多く採用される傾向にある。この支承は、上述の説明から明らかなように、その上沓が切欠きを具備していない。このため、上沓が切欠きを具備しない支承において、簡単に取付け・取り外しができる与変形装置の開発が望まれていた。
【０００６】
【発明が解決しようとする課題】
この発明は上記のような技術的背景に基づいてなされたものであって、次の目的を達成するものである。
この発明の目的は、上沓が切欠きを具備していない弾性支承において、簡単に取付け・取り外しができる与変形装置を提供することにある。
【０００７】
【課題を解決するための手段】
この発明は上記課題を達成するために、次のような手段を採用している。
すなわち、この発明は、弾性沓の上下部に上沓及び下沓が設けられ、前記上下沓が上部構造及び下部構造にそれぞれ固定される弾性支承において、前記弾性沓に橋軸方向のせん断変形を付与するための与変形装置であって、
前記上沓の橋軸方向両側の２つの隅角部における橋軸方向及び橋軸直角方向に沿う側面にそれぞれ当接して、該隅角部に固定される略Ｌ字形のジャッキ受け部材と、
このジャッキ受け部材に取り付けられるセンターホールジャッキと、
上端部が前記上沓の橋軸方向両側部にそれぞれ係合可能に前記下部構造に固定されたサイドブロックと、
一端が前記サイドブロックに固定され、他端が前記センターホールジャッキに固定される引張り部材と
を備えてなる弾性支承の与変形装置にある。
【０００８】
より具体的には、前記引張り部材は前記ジャッキ受け部材を貫通して、その他端が前記センターホールジャッキに固定されている。また、前記ジャッキ受け部材は、前記隅角部の橋軸方向に沿う側面に当接する第１部分と、この第１部分に対して直角をなし前記隅角部の橋軸直角方向に沿う側面に当接する第２部分とからなり、前記第１部分に前記引張り部材の挿通孔が設けられ、前記第２部分に複数のボルト挿通孔が設けられ、前記隅角部の橋軸直角方向に沿う側面に、前記ボルト挿通孔に挿通されたボルトが螺着される複数のねじ孔が設けられている。また、前記第１部分に前記隅角部の下面に当接する段付き部が形成されている。
【０００９】
この発明によれば、上沓の隅角部にその橋軸方向に沿う側面及び橋軸直角方向に沿う側面にそれぞれ当接する略Ｌ字形のジャッキ受け部材を固定するので、このジャッキ受け部材は上沓から橋軸直角方向に突出することとなる。したがって、このジャッキ受け部材にセンターホールジャッキを取り付けることにより、引張り部材の端部をサイドブロック位置にもたらすことができ、該サイドブロックに固定することが可能となる。
【００１０】
【発明の実施の形態】
この発明の実施の形態を図面を参照しながら以下に説明する。図１は、与変形装置を取り付けた状態の弾性支承を示す平面図、図２は橋軸方向矢視図、図３は橋軸直角方向矢視図である。各図においてＸは橋軸方向を示し、Ｙは橋軸直角方向を示している。
【００１１】
弾性支承であるゴム支承１は、ゴム沓２と、その上下部に設けられた上沓３と、下沓４とからなっている。ゴム沓２はゴム層と多数の内部鋼板とを交互に積層し、加硫接着により一体化したものである。上沓３及び下沓４は、いずれも鋼製のものであり、ゴム沓２の上下部に固着されている。また、上沓３及び下沓４は四角形のものであるが、従来のような切欠きは形成されていない。
【００１２】
上部構造である鋼桁５の下面にはソールプレート６がボルト７により固定される。このソールプレート６の下面に、上沓３がセットボルト８により固定される。また、下部構造であるコンクリート製の橋脚９にはベースプレート１０がアンカーバー１１により固定される。このベースプレート１０の上面に下沓４がボルト１２により固定される。
【００１３】
与変形装置は、センターホールジャッキ１３と、ジャッキ受け部材１４と、サイドブロック１５と、引張り部材であるテンションロッド１６とで構成されている。サイドブロック１５は、ベースプレート１０の橋軸方向両側部にそれぞれ配置され、ボルト１７によりベースプレート１０に固定されている。これらサイドブロック１５の上端部１８は上沓３の橋軸方向両側部に係合可能となっている。このサイドブロック１５の上端部１８に、テンションロッド１６を挿通するための挿通孔１９が設けられている。
【００１４】
サイドブロック１５は上沓３との係合により、小規模地震による桁５の橋軸直角方向変位を拘束してその横揺れを抑え、また、大規模地震による同方向の移動に対しては破壊して、ゴム支承１が全方向にせん断変形するのを可能とするように機能する。
【００１５】
図４は、ジャッキ受け部材１４を示す図であり、（ａ）は平面図、（ｂ）は（ａ）のＡ−Ａ線矢視断面図である。ジャッキ受け部材１４は互いに直角をなす第１部分２０及び第２部分２１からなり、全体として略Ｌ字形となっている。第１部分２０にはテンションロッド１６を挿通するための挿通孔２２が設けられている。第２部分２１にはジャッキ受け部材１４を上沓３に固定する複数のボルト２３を挿通するための挿通孔２４が設けられている。また、第１部分２０の内側面には、位置決めのための段付き部２５が形成されている。
【００１６】
ジャッキ受け部材１４は、上沓３の橋軸方向両側の２つの隅角部Ｄ（図１参照）に固定される。具体的には、第１部分２０の段付き部２５を隅角部Ｄの下面に当接させて厚み方向の位置決めをする。また、第１部分２０の内側面を隅角部Ｄの橋軸方向に沿う側面に当接させるとともに、第２部分２１の内側面を隅角部Ｄの橋軸直角方向に沿う側面に当接させる。そして、複数のボルト２３を第２部分２１の各挿通孔２４に通し、隅角部Ｄに固定する。これらのボルト２３を螺着するための複数のねじ孔２５が、隅角部Ｄの橋軸直角方向に沿う側面にそれぞれ設けられている（図５参照）。
【００１７】
上記与変形装置を使用したゴム支承１の与変形方法は次の通りである。図１に示すように、鋼桁５の据え付け時における桁の温度変化や製作誤差等により、橋脚９の脚芯Ｃ1 と鋼桁５の沓芯Ｃ2 との間には寸法ｅのずれが生じている。このずれｅが鋼桁５の架設のために必要な与変形量である。
【００１８】
与変形作業を実行するにあたっては、ゴム支承１の下沓４はベースプレート１０に固定し、ベースプレート１０は橋脚９に仮固定しておく。この状態でジャッキ受け部材１４を前記のようにして上沓３の隅角部Ｄに固定する。また、テンションロッド１６をジャッキ受け部材１４の挿通孔２２及びサイドブロック１５の挿通孔１９に挿通し、その端部をナット２６によりサイドブロック１５に固定する。また、テンションロッド１６の他端部をセンターホールジャッキ１３に固定することにより、このセンターホールジャッキ１３をジャッキ受け部材に取り付ける。
【００１９】
上沓３の上面に設けられたせん断キー２７（図１参照）の高さ分、鋼桁５をジャッキアップしておき、この状態でセンターホールジャッキ１３を作動させると、上沓３が鋼桁５に対して橋軸方向に移動し、ゴム沓２が同方向にせん断変形する。所要の与変形量ｅだけゴム沓２をせん断変形させると、上沓３の上面のせん断キー２７がソールプレート６に設けられたキー穴（図示せず）と一致する。このせん断変形位置で鋼桁５を下降させ、キー穴にせん断キー２７を嵌合させる。そして、セットボルト８により上沓３を鋼桁５に固定する。また、橋脚９にモルタルを打設して下沓４をベースプレート１０とともに橋脚９に本固定する。
【００２０】
上記与変形方法とは逆に、上沓３を鋼桁５の沓芯Ｃ2 に固定しておき、下沓４を橋脚９に対して橋軸方向に移動させ、下沓４を脚芯Ｃ1 に合わせるようにすることもできる。なお、この場合、ベースプレート１０を橋脚９に固定するモルタルが打設されていない状態で遂行されるので、下沓４すなわちベースプレート１０は橋脚９に対して移動可能である。
【００２１】
【発明の効果】
以上のように、この発明によれば、上沓が切欠きを具備していない弾性支承において与変形装置をセットすることが可能となり、その取付け・取り外しも簡単に行うことができる。
【図面の簡単な説明】
【図１】与変形装置を取り付けた状態の弾性支承を示す平面図である。
【図２】同上のものの橋軸方向矢視図である。
【図３】同上のものの橋軸直角方向矢視図である。
【図４】ジャッキ受け部材を示し、（ａ）は平面図、（ｂ）は（ａ）のＡ−Ａ線矢視断面図である。
【図５】上沓の隅角部を示す斜視図である。
【符号の説明】
１：ゴム支承
２：ゴム沓
３：上沓
４：下沓
５：鋼桁
６：ソールプレート
７：ボルト
８：セットボルト
９：橋脚
１０：ベースプレート
１１：アンカーバー
１２：ボルト
１３：センターホールジャッキ
１４：ジャッキ受け部材
１５：サイドブロック
１６：テンションロッド
１７：ボルト
１８：上端部
１９：挿通孔
２０：第１部分
２１：第２部分
２２：挿通孔
２３：ボルト
２４：挿通孔
２５：ねじ孔
３０：段付き部
ｅ：与変形量
Ｃ1 ：脚芯
Ｃ2 ：沓芯
Ｄ：隅角部
【図１】
0003755870.tif 000002
【図２】
0003755870.tif 000003
【図３】
0003755870.tif 000004
【図４】
0003755870.tif 000005
【図５】
0003755870.tif 000006